(57)【要約】【課題】機器ボックスの設置場所でハンドル装置５１を操作する操作者がハンドル装置５１のロックが解除されていることを容易に認識することができるハンドル装置を提供する。【解決手段】ハウジング２下端部には、ソレノイド１２によって作動しハンドル４の止め金板２５と係脱する受け金レバー１３が備えられ、止め金板２５が受け金レバー１３から外れたハンドル４を手前に引く操作によって、キャビネット側の係止が外れて扉が開かれるハンドル装置１であって、ハンドル４が手前に開かれた状態のときにオンになり、ハウジング２下端部に設けた受け金レバー１３に対しハンドル４側の止め金板２５が係止したときにオフになる発光ダイオード１０を設け、ハンドル４には発光ダイオード１０の取り付け位置に対応した開口部３４を設ける。【選択図】図１
2012036651.tif 000002
【特許請求の範囲】
【請求項１】
ハウジング下端部にはソレノイドによって作動しハンドルの係止爪片と係脱する係止部材が備えられ、前記係止爪片が係止部材から外れたハンドルを手前に引く操作によってキャビネット側の係止片に対する係止が外れて扉が開かれるようにしたハンドル装置であって、
ハウジングに対しハンドルが手前に開かれた状態のときにオンになり、ハウジング下端部に設けた係止部材に対しハンドル側の係止爪片が係止しハウジングに対しハンドルが閉じた状態のときにオフになる発光ダイオードを設けたハンドル装置。
【発明の詳細な説明】
【技術分野】
【０００１】
本発明は、機器類を格納したボックス本体に扉を係止するハンドル装置の技術に関する。
【背景技術】
【０００２】
従来から、ハウジングから操作ハンドルを引き出して固定枠体に対する扉の係合を解除するハンドル装置はあった。
このようなハンドル装置では、機器ボックスの管理者が機器ボックスの設置場所から離れている場合であっても、設置場所に赴いて直接錠前ユニットに鍵を挿し込み操作しなければ、ハウジングに対する操作ハンドルの係合を解除することができない。
【０００３】
このような課題を解決するものとして特許文献１が開示されている。特許文献１に記載されるハンドル装置では、ハウジングの背面にソレノイドを固着し、ハウジングに枢着した受金レバー板に掛け止め部を形成し、ソレノイドのプランジャーに受金レバー板を枢着し、解錠信号としての所定電流をソレノイドに流すことによって、受金レバー板の掛け止め部と止め金板との係合を解除する。このように機器ボックスの管理者が機器ボックスの設置場所に自ら赴くことなく、機器ボックスは遠隔操作によって開扉可能状態とされる。
【０００４】
なお、受金レバー板は、止め金板と掛け止め部とが係合される方向にばね付勢されているので、操作ハンドルの引き出し操作後、ソレノイドへの通電を遮断したときに掛け止め部は元の位置に復帰している。作業者が操作ハンドルを押し戻すときには、止め金板の先端部が受金レバー板の側面を押すので、止め金板の先端部と受金レバー板の掛け止め部とが自動的に係合し操作ハンドルが再び拘束される。
【先行技術文献】
【特許文献】
【０００５】
【特許文献１】特許第３５１５０８３号公報
【発明の概要】
【発明が解決しようとする課題】
【０００６】
特許文献１に記載されるハンドル装置は、機器ボックスの管理者が機器ボックスの設置場所に自ら赴くことなく、遠隔操作によってソレノイドに所定電流を流し機器ボックスを開扉可能状態とすることができるが、機器ボックスの設置場所でハンドル装置を操作する作業者が、ハンドル装置を一目見てロックが解除されているか否かを容易に判断することができれば便利である。
【０００７】
本発明の目的は、このような課題を解決するもので、機器ボックスの設置場所でハンドル装置を操作する操作者がハンドル装置のロックが解除されている、または、ハンドルがハウジングに確実にロックできていないことを容易に認識することができるハンドル装置を提供することである。
【課題を解決するための手段】
【０００８】
この課題を解決するために本発明は、ハウジング下端部にはソレノイドによって作動しハンドルの係止爪片と係脱する係止部材が備えられ、前記係止爪片が係止部材から外れたハンドルを手前に引く操作によってキャビネット側の係止片に対する係止が外れて扉が開かれるようにしたハンドル装置であって、ハウジングに対しハンドルが手前に開かれた状態のときにオンになり、ハウジング下端部に設けた係止部材に対しハンドル側の係止爪片が係止しハウジングに対しハンドルが閉じた状態のときにオフになる発光ダイオードを設けている。
【発明の効果】
【０００９】
請求項１記載の発明によれば、ハウジングに対しハンドルが手前に開かれた状態のときにオンになり、ハウジング下端部に設けた係止部材に対しハンドル側の係止爪片が係止しハウジングに対しハンドルが閉じた状態のときにオフになる発光ダイオードを設けているので、機器ボックスの設置場所でハンドル装置を操作する操作者がハンドル装置のロックが解除されている、または、ハンドルがハウジングに確実にロックできていないことを容易に確認することができる。
【図面の簡単な説明】
【００１０】
【図１】ハンドル装置１の斜視図である。
【図２】ハンドル４が閉状態にあり、錠前ユニット２４の止め金板２５が受け金レバー１３の掛け止め部２６に係合しているハンドル装置１の断面図である。
【図３】ハンドル４が閉状態にあり、錠前ユニット２４の止め金板２５と受け金レバー１３の掛け止め部２６との係合が解除されたハンドル装置１の断面図である。
【図４】ソレノイド１２が励磁された状態でハンドル４が開状態となったハンドル装置１の断面図である。
【図５】ハンドル４が開状態にありソレノイド１２の供給電流が停止されたハンドル装置１の断面図である。
【発明を実施するための形態】
【００１１】
以下、本発明の第１の実施形態について図１〜図５に基づいて説明する。図１は、ハンドル装置１の斜視図である。図２は、ハンドル４が閉状態にあり、錠前ユニット２４の止め金板２５が受け金レバー１３の掛け止め部２６に係合しているハンドル装置１の断面図である。図３は、ハンドル４が閉状態にあり、錠前ユニット２４の止め金板２５と受け金レバー１３の掛け止め部２６との係合が解除されたハンドル装置１の断面図である。図４は、ソレノイド１２が励磁された状態でハンドル４が開状態となったハンドル装置１の断面図である。図５は、ハンドル４が開状態にありソレノイド１２の供給電流が停止されたハンドル装置１の断面図である。
【００１２】
ハンドル装置１は、ハウジング２と、フック３と、ハンドル４と、連結板５と、回動板６と、リンク板７と、リンク板９と、ローラー１７とを備えている。ハウジング２には、発光ダイオード１０とボタン１１とソレノイド１２と受け金レバー１３とが設けられる。
【００１３】
ハンドル４の一端部には操作者が操作する把手部１４が形成されており、基端部が連結ピン１５によってハウジング２に回転可能に軸支されている。ハンドル４の基端部は、さらに伸延し駆動部１６が形成されている。駆動部１６の先端部には、リンク板７が連結されており、リンク板７にはキャビネットの上部に設けられた受け金に係止する不図示の係止部が連結される。
【００１４】
フック３は、一端部をハウジング２に回転可能に軸支されており、ローラー１７を介して駆動部１６の端面に当接している。フック３の端面には、ハンドル４が閉状態のときにキャビネット本体の受け金１８に係止する係止辺１９が形成されている。
回動板６は、一端部がハウジング２に回動可能に軸支されており、他端部にはリンク板９が連結されている。回動板６は連結板５を介してハンドル４に連結されており、リンク板９はハンドル４の操作に伴って上下方向に移動する。リンク板９には、キャビネットの扉の下部に設けられた受け金２０に係止する係止部２１が連結されている。
【００１５】
発光ダイオード１０とボタン１１とソレノイド１２と受け金レバー１３とは、ハウジング２のうちハンドル４が閉状態のときハンドル４の把手部１４で覆われる部分に収容される。ボタン１１は略円筒形を有し先端には把手部１４が当接する凸部２２が形成されている。凸部２２は、ボタン１１の内部に設けられたコイルばね２３によって前方にばね付勢されている。錠前ユニット２４の止め金板２５と受け金レバー１３の掛け止め部２６との係合が解除されると、ばね付勢されたボタン１１の凸部２２がハウジング２の前面から突出しボタン１１がオン状態になる。
錠前ユニット２４の止め金板２５と受け金レバー１３の掛け止め部２６とが係合した閉状態のときには、把手部１４がボタン１１の凸部２２に当接し、コイルばね２３のばね力に抗して凸部２２がボタン１１の内部に収容されている。ボタン１１は、この状態でオフとなる。
【００１６】
発光ダイオード１０はボタン１１の上方に設けられており、ボタン１１がオンになると発光ダイオード１０は点灯し、ボタン１１がオフになると発光ダイオード１０は消灯する。
【００１７】
このときハンドル装置１を操作する操作者は、制御パネルからハンドル装置１に送られる信号によって、ボタン１１がオフ状態にあり錠前ユニット２４の止め金板２５と受け金レバー１３の掛け止め部２６とが係合しているか、あるいは、ボタン１１がオン状態にあり錠前ユニット２４の止め金板２５と受け金レバー１３の掛け止め部２６との係合が解除されているかを発光ダイオード１０の消灯・点灯で容易に確認することができる。
【００１８】
また、ハンドル装置１を遠隔操作する管理者は、たとえばハンドル装置１のボタン１１から配線を伸ばし信号を制御パネルにも送れるようにしておき、その制御パネルに送られる信号によって、ボタン１１がオフ状態にあり錠前ユニット２４の止め金板２５と受け金レバー１３の掛け止め部２６とが係合しているか、あるいは、ボタン１１がオン状態にあり錠前ユニット２４の止め金板２５と受け金レバー１３の掛け止め部２６との係合が解除されているかを遠隔地でも容易に把握することができる。
【００１９】
ソレノイド１２は、ハウジング２の背面側からボタン１１の下方に収容される。受け金レバー１３は、ソレノイド１２の下方に設置され扉の前面と平行な連結ピン２７によって回動可能に軸支されており、ハンドル４の先端部に埋め込み固着された錠前ユニット２４の止め金板２５が係合する掛け止め部２６は、受け金レバー１３の端面に形成されている。受け金レバー１３の中間部上面側には長穴２８が形成されており、受け金レバー１３とソレノイド１２のプランジャー２９とは長穴２８に挿通される連結ピン３０によって係合している。連結ピン２７には、ねじりコイルばね３１が設けられており、受け金レバー１３は錠前ユニット２４側にばね付勢されている。
【００２０】
ソレノイド１２が通電されていないときには、プランジャー２９は上下動可能である。不図示の制御パネルのスイッチをオンにしてソレノイド１２に解除信号としての所定電流を供給すると、ソレノイド１２の励磁によってプランジャー２９がソレノイド１２本体側に吸引され、プランジャー２９に連結された受け金レバー１３が連結ピン２７を中心にして上方に回動し、錠前ユニット２４の止め金板２５と掛け止め部２６との係合が解除される。
【００２１】
ここでハンドル装置１の動作について説明する。図２に示すハンドル装置１は、ハンドル４が閉状態にあり、錠前ユニット２４の止め金板２５が、受け金レバー１３の掛け止め部２６に係合している。ハンドル装置１の管理者が、制御パネルのスイッチをオンにして、ソレノイド１２に解除信号としての所定電流を供給すると、ソレノイド１２の励磁によってプランジャー２９がソレノイド１２本体側に吸引される。プランジャー２９に連結された受け金レバー１３は、ねじりコイルばね３１のばね力に抗してプランジャー２９とともにソレノイド１２本体側に吸引される。そうすると受け金レバー１３は、連結ピン２７を中心として回動し、錠前ユニット２４の止め金板２５と掛け止め部２６との係合が解除される。図３は、この状態を示している。
【００２２】
錠前ユニット２４の止め金板２５と掛け止め部２６との係合が解除されると、コイルばね２３のばね力によってボタン１１の凸部２２がハウジング２の前面に突出しボタン１１がオン状態となる。ボタン１１がオン状態となると、発光ダイオード１０に電流が供給されて、発光ダイオード１０が点灯する。図４は、この状態を示している。操作者はハンドル４の把手部１４を手前に引く操作をして、リンク板７，９に連結している係止部とキャビネットに設けられた受け金との係合を解除して扉を開けることができる。
【００２３】
次にハンドル装置の管理者が、制御パネルのスイッチをオフ操作してソレノイド１２に供給する電流を停止すると、受け金レバー１３は、ねじりコイルばね３１のばね力によってプランジャー２９が突出する方向に回動し、受け金レバー１３の先端部がハウジング２の当接面３２に係止された状態に戻る。図５は、この状態を示している。
【００２４】
操作者が、リンク板７，９に連結した係止部を再び受け金に係止させるために、扉を閉めた後にハンドル４を押し下げていくと、錠前ユニット２４の止め金板２５が受け金レバー１３の傾斜面３３に当接し、ねじりコイルばね３１のばね力に抗して受け金レバー１３をプランジャー２９が吸引される方向に回動させる。操作者がさらにハンドル４を押し下げていくと、錠前ユニット２４の止め金板２５が受け金レバー１３の掛け止め部２６に係合し、図２の状態に戻る。なお、このとき発光ダイオード１０が消灯するので、操作者は容易に止め金板２５が掛け止め部２６の係合位置に達したことを認識することができる。
【００２５】
このように、ハウジング２下端部にはソレノイド１２によって作動しハンドル４の係止爪片である止め金板２５と係脱する係止部材である受け金レバー１３が備えられ、止め金板２５が受け金レバー１３から外れたハンドル４を手前に引く操作によってキャビネット側の係止片である受け金に対する係止が外れて扉が開かれるようにしたハンドル装置１であって、ハウジング２に対しハンドル４が手前に開かれた状態のときにオンになり、ハウジング２下端部に設けた受け金レバー１３に対しハンドル４側の止め金板２５が係止しハウジング２に対しハンドル４が閉じた状態のときにオフになる発光ダイオード１０を設け、ハンドル４には発光ダイオード１０の取り付け位置に対応して開口部３４を設けているので、外部から開口部３４を通して点灯している発光ダイオード１０を見ることができ、機器ボックスの設置場所でハンドル装置５１を操作する操作者がハンドル装置５１のロックが解除されていることを容易に認識することができる。
【００２６】
さらに、ハンドル装置１を遠隔操作する管理者が、たとえばハンドル装置１のボタン１１から配線を増やし信号を制御パネルにも送れるようにしておき、その制御パネルに送られる信号によって、ボタン１１がオフ状態にあり錠前ユニット２４の止め金板２５と受け金レバー１３の掛け止め部２６とが係合しているか、あるいは、ボタン１１がオン状態にあり錠前ユニット２４の止め金板２５と受け金レバー１３の掛け止め部２６との係合が解除されているかを遠隔地でも容易に把握することができるようにすることもできる。
【符号の説明】
【００２７】
１    ハンドル装置
２    ハウジング
３    フック
４    ハンドル
５    連結板
６    回動板
７，９    リンク板
１０    発光ダイオード
１１    ボタン
１２    ソレノイド
１３    受け金レバー
１４    把手部
１５，２７，３０    連結ピン
１６    駆動部
１７    ローラー
１８    受け金
１９    係止辺
２０    受け金
２１    係止部
２２    凸部
２３    コイルばね
２４    錠前ユニット
２５    止め金板
２６    掛け止め部
２８    長穴
２９    プランジャー
３１    ねじりコイルばね
３２    当接面
３３    傾斜面
３４    開口部
【図１】
2012036651.tif 000003
【図２】
2012036651.tif 000004
【図３】
2012036651.tif 000005
【図４】
2012036651.tif 000006
【図５】
2012036651.tif 000007